(57)【要約】【課題】  鏡筒内の視界に目標物を簡単にとらえることができる地上望遠鏡を提供する。【解決手段】  地上望遠鏡１０は、鏡筒１１内にカム筒１４が回動自在に設けられ、このカム筒１４内に案内筒１５が設けられ、案内筒１５内に移動対物レンズ１７及び移動接眼レンズ２１が光軸２９方向に移動自在に設けられ、カム筒１４を回動操作することにより、移動対物レンズ１７及び移動接眼レンズ２１を光軸２９方向に移動して倍率を調整するものである。この地上望遠鏡１０は、移動対物レンズ１７及び移動接眼レンズ２１との間の間隔に、カム筒１４の回動操作に応じて光軸２９方向に移動可能になるレチクル１９ａが設けられ、倍率を調整する際に、レチクル１９ａを移動させて接眼焦点位置に合わせられるように構成したものである。【選択図】  図１
2005316258.tif 000002
【特許請求の範囲】
【請求項１】
鏡筒内にカム筒が回動自在に設けられ、このカム筒内に案内筒が設けられ、この案内筒内に対物レンズ群の一部及び接眼レンズ群の一部が光軸方向に移動自在に設けられ、カム筒を回動操作することにより、対物レンズ群の一部及び接眼レンズ群の一部を光軸方向に移動して倍率を調整する地上望遠鏡において、
前記対物レンズ群の一部及び前記接眼レンズ群の一部との間の間隔に、前記カム筒の回動操作に応じて光軸方向に移動可能になるレチクルが設けられ、
前記倍率を調整する際に、このレチクルを移動させて接眼焦点位置に合わせられるように構成したことを特徴とする地上望遠鏡。
【発明の詳細な説明】
【技術分野】
【０００１】
本発明は、地上望遠鏡に係り、遠距離の小さな目標物を、地上望遠鏡の視界内のレチクルに合わせることで視認しやすくして、目標物にすばやく焦点を合わせることができる地上望遠鏡に関する。
【背景技術】
【０００２】
一般的に、地上望遠鏡は、遠距離の小さな物体、及び中、近距離での小さな目標物（例えば、小動物など）の拡大した象を提供するものである。
しかし、地上望遠鏡は、高倍率で使用する際には鏡筒内の視界が狭く、この狭い視界内では、小さな目標物をとらえることは難しい。
地上望遠鏡のなかには、鏡筒内の視界に目標物をとらえやすくするために、サイト（照準）を備えたものがある（例えば、特許文献１参照。）。
【特許文献１】特開平８−１９４１６４号公報
【０００３】
特許文献１に類似する照準を備えた地上望遠鏡を図５、図６、図７に示す。
図５に示す地上望遠鏡５０は、鏡筒５１の外部に筒状ピープサイト５２の照準部を備え、この筒状ピープサイト５２を利用して目標物５３（図７参照）を間接的に鏡筒５１の視界内にとらえようとするものである。
【０００４】
図６（ａ），（ｂ）に示す地上望遠鏡６０は、鏡筒６１の外部に山形６２及び谷形６３の照準部を備え、この山形６２及び谷形６３を利用して目標物５３（図７参照）を間接的に鏡筒６１の視界内にとらえようとするものである。
【発明の開示】
【発明が解決しようとする課題】
【０００５】
しかし、図７（ａ）に示すように、地上望遠鏡５０，６０を高倍率で使用する場合には、地上望遠鏡５０，６０を覗いたときの実視界Ｅが狭い。
このため、図７（ｂ）に示すように、例えば、筒状ピープサイト５２や、山形６２及び谷形６３を利用して目標物５３を間接的にとらえた後、図７（ａ）に示すように、地上望遠鏡５０，６０の接眼レンズを覗いて鏡筒５１，６１内の実視界Ｅ内に小さな目標物５３をとらえようとしても、使用者５４が、筒状ピープサイト５２や、山形６２及び谷形６３で視認した目標物５３を、鏡筒５１，６１内の狭い実視界Ｅ内にとらえることは難しい。
【０００６】
特に、使用者５４が地上望遠鏡５０，６０を使い慣れていない場合には、目標物５３を、鏡筒５１，６１内の狭い実視界Ｅ内にとらえることは難しいとされていた。
【０００７】
本発明は、鏡筒内の視界に目標物を簡単にとらえることができる地上望遠鏡を提供することを目的とする。
【課題を解決するための手段】
【０００８】
前述した目的を達成するために、本発明の地上望遠鏡は、鏡筒内にカム筒が回動自在に設けられ、このカム筒内に案内筒が設けられ、この案内筒内に対物レンズ群の一部及び接眼レンズ群の一部が光軸方向に移動自在に設けられ、カム筒を回動操作することにより、対物レンズ群の一部及び接眼レンズ群の一部を光軸方向に移動して倍率を調整する地上望遠鏡において、前記対物レンズ群の一部及び前記接眼レンズ群の一部との間の間隔に、前記カム筒の回動操作に応じて光軸方向に移動可能になるレチクルが設けられ、前記倍率を調整する際に、このレチクルを移動させて接眼焦点位置に合わせられるように構成したことを特徴としている。
【０００９】
本発明の地上望遠鏡によれば、対物レンズ群の一部及び接眼レンズ群の一部との間の空間に、カム筒の回転操作に応じて光軸方向に移動可能にレチクルを設けた。このレチクルは、倍率を調整する際に、接眼焦点位置に合わせた状態で移動する。
【００１０】
このため、地上望遠鏡を用いて、目標物を高倍率で目視する際に、先ず地上望遠鏡を低倍率にセットした状態で、地上望遠鏡を覗きながら、鏡筒内のレチクルに目標物を合わせ、この状態で、地上望遠鏡の接眼レンズを覗きながら高倍率に倍率変更する。
これにより、地上望遠鏡を用いて目標物を高倍率で目視する際でも、使用者は、地上望遠鏡を簡単かつ確実に操作できるようになる。
【発明の効果】
【００１１】
本発明の地上望遠鏡によれば、倍率を調整する際に、低倍率時の接眼焦点位置に合わせた状態でレチクルを移動させるので、地上望遠鏡を用いて目標物を高倍率で目視する際、使用者は、地上望遠鏡を簡単かつ確実に操作することが可能となり、鏡筒内の視界に目標物を簡単にとらえることができるという効果が得られる。
【発明を実施するための最良の形態】
【００１２】
以下、本発明に係る実施形態を図面に基づいて詳細に説明する。図１は本発明に係る地上望遠鏡の縦断面図であり、図２は本発明に係る地上望遠鏡の要部を示す分解斜視図、図３（ａ），（ｂ）は本発明に係る地上望遠鏡の特徴を説明する機構図、図４（ａ）〜（ｃ）は本発明に係る地上望遠鏡で目標物を観察する例を説明する視界図である。
【００１３】
図１に示す地上望遠鏡１０は、鏡筒１１の対物側の端部に固定対物レンズ１２が設けられ、接眼側近傍で、固定対物レンズ１２に臨む部位に正立プリズム１３が設けられ、正立プリズム１３の接眼側にカム筒１４が回動自在に内蔵され、カム筒１４内に案内筒１５が内蔵され、案内筒１５内で、かつ正立レンズ１３の近傍に移動対物レンズ枠１６が設けられ、移動対物レンズ枠１６に移動対物レンズ（対物レンズ群の一部）１７が設けられ、移動対物レンズ１７の接眼側に移動レチクル枠１８が設けられ、移動レチクル枠１８にガラスレチクル１９が設けられ、このガラスレチクル１９の接眼側に移動接眼レンズ枠２０が設けられ、移動接眼レンズ枠２０に移動接眼レンズ（接眼レンズ群の一部）２１が設けられ、移動接眼レンズ２１の接眼側で、かつ鏡筒１１の接眼側の端部に固定接眼レンズ枠２２が設けられ、この固定接眼レンズ枠２２に固定接眼レンズ２３が設けられている。さらに鏡筒１１にはカム筒１４を操作するズームリング２４が設けられるとともに、焦点を調整するフォーカスリング２５が設けられている。
【００１４】
図２に示すように、カム筒１４の周壁には、移動対物レンズ枠用カム溝１４ａ、移動レチクル枠用カム溝１４ｂ、及び移動接眼レンズ枠用カム溝１４ｃが形成されている。
案内筒１５の周壁には、案内溝１５ａが形成されている。
【００１５】
この案内溝１５ａ及び移動対物レンズ枠用カム溝１４ａには、移動対物レンズ枠１６に取り付けた対物レンズ枠用移動ビス２６が移動自在に嵌合されている。
また、案内溝１５ａ及び移動レチクル枠用カム溝１４ｂには、移動レチクル枠１８に取り付けたレチクル枠用移動ビス２７が移動自在に嵌合されている。
さらに、案内溝１５ａ及び移動接眼レンズ枠用カム溝１４ｃには、移動接眼レンズ枠２０に取り付けた接眼レンズ枠用移動ビス２８が移動自在に嵌合されている。
【００１６】
移動対物レンズ枠１６、移動レチクル枠１８及び移動接眼レンズ枠２０は、案内筒１５内に、光軸２９方向に移動自在に内蔵されている。
【００１７】
以下、図３〜図４に基づいて地上望遠鏡１０の動作について説明する。
図１に示すズームリング２４を回動操作してカム筒１４を回動させる。移動対物レンズ枠用カム溝１４ａ及び移動接眼レンズ枠用カム溝１４ｃで、移動対物レンズ枠１６（すなわち、移動対物レンズ１７）及び移動接眼レンズ枠２０（すなわち、移動接眼レンズ２１）を移動させる。
【００１８】
図３（ａ）に示すように、移動対物レンズ１７及び移動接眼レンズ２１を矢印方向に移動させて、それぞれのレンズ１７，２１の位置を、光学設計の規則に沿って変えることで倍率が変化する。
【００１９】
このとき、移動レチクル枠用カム溝１４ｂで移動レチクル枠１８（すなわち、ガラスレチクル１９）を案内して、ガラスレチクル１９を接眼焦点位置に合わせた状態を保ちながら矢印方向に移動する。
【００２０】
図３（ｂ）に示すように、変倍調整が完了したとき、ガラスレチクル１９は接眼焦点位置に配置されている。
よって、使用者３０の目３１で地上望遠鏡１０を覗くことにより、目標物３３（図４参照）に重ね合わせるようにガラスレチクル１９のレチクル１９ａを見ることができる。
【００２１】
このようにして、地上望遠鏡１０（図１参照）を用いて、図４（ａ）に示す目標物３３を高倍率で目視する際に、地上望遠鏡１０を比較的低倍率（１５倍）にセットした状態で、地上望遠鏡１０の固定接眼レンズ２３を覗く。
【００２２】
地上望遠鏡１０を比較的低倍率（例えば、１５倍）にセットすることで、鏡筒１１内の視界Ｅ内にすばやく目標物３３をとらえることができる。
このとき、図１に示す鏡筒１１内のガラスレチクル１９（すなわち、レチクル１９ａ）を目視することができる。
【００２３】
図４（ｂ）に示すように、鏡筒１１の固定対物レンズ１２（図１参照）を目標物３３に向け、フォーカスリング２５を回動させることで、目標物３３の実像を固定対物レンズ１２、正立プリズム１３を通して、ガラスレチクル１９の位置、すなわち焦点位置に結象させる。
この状態で、目標物３３にレチクル１９ａを重ね合わせる。
【００２４】
図４（ｃ）に示すように、目標物３３にレチクル１９ａを重ね合わせた状態で、地上望遠鏡１０の固定接眼レンズ２３を覗きながら、図１に示すズームリング２４を回動操作して高倍率（例えば、６０倍）に合わせる。
【００２５】
これにより、地上望遠鏡１０を用いて目標物３３を高倍率で目視する際に、鏡筒１１内の視界Ｅ内にすばやく目標物３３をとらえることができ、使用者３０は、地上望遠鏡１０を簡単かつ確実な操作が可能となる。
【００２６】
ところで、レチクル１９ａの形状や寸法（サイズ）を、目標物３３との間に一定の規則を持たせて決めておくと、鏡筒１１内の視界Ｅ内の目標物３３と、レチクル１９ａとを比較することで、目標物３３よりの情報（距離、大きさ）を得ることもできる。
【００２７】
なお、前記実施形態では、地上望遠鏡１０として単眼望遠鏡を例に説明したが、これに限られることなく、双眼望遠鏡に適用することも可能である。
【図面の簡単な説明】
【００２８】
【図１】本発明に係る地上望遠鏡の縦断面図である。
【図２】本発明に係る地上望遠鏡の要部を示す分解斜視図である。
【図３】（ａ），（ｂ）は本発明に係る地上望遠鏡の特徴を説明する機構図である。
【図４】（ａ）〜（ｃ）は本発明に係る地上望遠鏡で目標物を観察する例を説明する視界図である。
【図５】従来の地上望遠鏡の照準部を示す側面図である。
【図６】従来のもう一つの地上望遠鏡の照準部を示す側面図である。
【図７】（ａ），（ｂ）は従来の地上望遠鏡で目標物を観察する例を説明する視界図である。
【符号の説明】
【００２９】
１０  地上望遠鏡
１１  鏡筒
１４  カム筒
１５  案内筒
１７  移動対物レンズ（対物レンズ群の一部）
１９  ガラスレチクル
１９ａ  レチクル
２３  固定接眼レンズ（接眼レンズ群の一部）
２９  光軸
【図１】
2005316258.tif 000003
【図２】
2005316258.tif 000004
【図３】
2005316258.tif 000005
【図４】
2005316258.tif 000006
【図５】
2005316258.tif 000007
【図６】
2005316258.tif 000008
【図７】
2005316258.tif 000009